(57)【特許請求の範囲】
【請求項１】
一端が上方へ開放し且つ他端が側方へ開放するようほぼ直角に屈曲し、前記一端に接続された管部材から前記一端を経て流入した流体を前記他端を経て該他端に接続された管部材に流出させる筒状の継手本体を備える管継手であって、
前記継手本体内には、該継手本体の底部における前記他端から前記継手本体内の流体の流れ方向と反対方向へ向けて底部の板厚が漸増することにより、前記底部における前記他端を通る水平面に関して仰角で傾斜し、前記継手本体内に前記一端を経て流入して前記底部に流れ落ちる前記流体を前記他端に案内する傾斜面が形成されていることを特徴とする管継手。
【発明の詳細な説明】
【技術分野】
【０００１】
本発明は、管部材同士を接続するための管継手に関する。
【背景技術】
【０００２】
従来、例えば建物に上下方向に沿って設けられる縦樋と、該縦樋内を流れた雨水を例えば地上の排水口のような所定の箇所に案内すべく地上に沿って配置される案内管とを互いに接続するための管継手が知られている（例えば、特許文献１参照。）。
【０００３】
このような管継手は、ほぼ直角に屈曲したＬ字状の継手本体を備える。継手本体の一端部には、縦樋の下端部が接続され、継手本体の他端部には、案内管の端部が接続される。これにより、縦樋内を流れる雨水の流路の向きを排水口へ向けて転換することができる。
【特許文献１】特開２００５−１５５７６２号公報（第３−４頁、図１）
【発明の開示】
【発明が解決しようとする課題】
【０００４】
しかしながら、例えば配管施工時の誤差により、継手本体の底部が水平方向に関して底部における雨水の流れ方向へ向けて仰角で傾斜した状態に管継手の配置姿勢が固定された場合、継手本体内にその一端部から流入した雨水や雨水に含まれる砂泥等の一部が継手本体内から排出されず、それらが継手本体の屈曲部の入隅部分に堆積する虞がある。雨水や砂泥が継手本体内に堆積すると、継手本体内に苔や雑草等が生えてしまうため、雨水が継手本体内を流れ難くなり、雨水の排水効率が低下してしまう。
【０００５】
そこで、本発明の目的は、排水効率の低下を確実に防止することができる管継手を提供することにある。
【課題を解決するための手段】
【０００６】
上記課題を解決するために、請求項１に記載の発明は、一端が上方へ開放し且つ他端が側方へ開放するようほぼ直角に屈曲し、前記一端に接続された管部材から前記一端を経て流入した流体を前記他端を経て該他端に接続された管部材に流出させる筒状の継手本体を備える管継手であって、前記継手本体内には、該継手本体の底部における前記他端から前記継手本体内の流体の流れ方向と反対方向へ向けて底部の板厚が漸増することにより、前記底部における前記他端を通る水平面に関して仰角で傾斜し、前記継手本体内に前記一端を経て流入して前記底部に流れ落ちる前記流体を前記他端に案内する傾斜面が形成されていることを特徴とする。
【発明の効果】
【０００７】
請求項１に記載の発明によれば、ほぼ直角に屈曲された継手本体内に、継手本体の底部における他端から継手本体内の流体の流れ方向と反対方向へ向けて底部の板厚が漸増することにより、底部における他端を通る水平面に関して仰角で傾斜し、継手本体内に一端を経て流入して底部に流れ落ちる流体を他端に案内する傾斜面が形成されていることから、例えば配管施工時の誤差により、継手本体の底部が水平方向に関して底部における雨水の流れ方向へ向けて仰角で傾斜した状態に管継手の配置姿勢が固定された場合でも、流路を規定する傾斜面の水平方向に対する傾斜角を、継手本体内からの雨水の排出方向へ向けて俯角にすることができる。
【０００８】
これにより、継手本体の底部が水平方向に関して底部における雨水の流れ方向へ向けて仰角でたとえ傾斜したとしても、傾斜面の案内作用により、雨水や雨水に含まれる砂泥等を継手本体内から従来に比べて容易に排出することができるので、継手本体内にその一端から流入した雨水や雨水に含まれる砂泥等の一部が継手本体の屈曲部の入隅部分に堆積することを確実に抑制することができる。
【０００９】
従って、雨水や砂泥等の一部が継手本体の屈曲部の入隅部分に堆積することによる従来のような雨水の排水効率の低下を確実に防止することができる。
【発明を実施するための最良の形態】
【００１０】
本発明を図示の実施例に沿って説明する。
【実施例】
【００１１】
図１は、建物に設けられる縦樋１１と、該縦樋内を流れる雨水を地上の例えば図示しない排水口に案内するための案内管１２とを互いに接続するための管継手１０に、本発明を適用した例を示す。
【００１２】
縦樋１１は、例えばポリ塩化ビニルのような合成樹脂材料で成形された円筒体からなり、建物の上下方向に沿って配置されている。案内管１２は、縦樋１１と同様な合成樹脂材料で成形され、縦樋１１の内径とほぼ等しい内径を有する円筒体からなり、地面に沿って配置されている。
【００１３】
本発明に係る管継手１０は、図１に示すように、所定の角度で屈曲した筒状の継手本体１３を備える。
【００１４】
継手本体１３は、図示の例では、例えばポリ塩化ビニルのような合成樹脂材料からなる。継手本体１３は、上下方向に伸びる筒状の縦部１４を有する。縦部１４は、一端１４ａが上方へ開放し、他端１４ｂが側方へ開放する。更に、継手本体１３は、縦部１４の他端１４ｂに連なり縦部１４の側方へ伸び、先端１５ａが開放する筒状の横部１５を有する。継手本体１３は、縦部１４及び横部１５で縦断面がＬ字状をなすようにほぼ直角に折れ曲がっている。
【００１５】
縦部１４及び横部１５の横断面は、図示の例では、それぞれ矩形状をなしている。縦部１４の底壁１４ｃと横部１５の底壁１５ｂとで、継手本体１３の底壁１６が構成されている。縦部１４の一端１４ａには、縦樋１１の下端部１１ａが挿入され、横部１５の先端１５ａは、案内管１２の端部１２ａに挿入される。
【００１６】
本発明に係る継手本体１３内には、その底部１３ａに、縦樋１１から継手本体１３内にその縦部１４の一端１４ａを経て流入して底壁１６に向けて流れ落ちる雨水を横部１５の先端１５ａに向けて案内するための傾斜面１７が形成されている。
【００１７】
傾斜面１７は、図示の例では、平面であり、継手本体１３の底壁１６を、その板厚が底壁１６の横部１５の先端１５ａ側の一端１６ａから該一端と反対側に位置する他端１６ｂに向けて漸増するように形成することにより、継手本体１３の底壁１６の内方側の上面により規定されている。これにより、傾斜面１７は、継手本体１３の底壁１６の外方側に位置する下面１６ｃに関して、継手本体１３の底壁１６の一端１６ａすなわち横部１５の底壁１５ｂの先端から、継手本体１３の底壁１６の他端１６ｂすなわち縦部１４の横部１５が形成された側と反対側に位置する側壁１４ｄの下部に向けて、仰角を有する。底壁１６の下面１６ｃに対する傾斜面１７の傾斜角度Θは、管継手１０の配管状態で、底壁１６の一端１６ａを通る水平面Ｓに対して傾斜するように設定されており、図示の例では、５°に設定されている。
【００１８】
底壁１６には、図示の例では、従来よく知られた発泡剤が含有されている。前記発泡剤は、例えば炭酸水素ナトリウムからなり、継手本体１３の成形時に、継手本体１３の底壁１６となる溶融樹脂材料に含有される。底壁１６への前記発泡剤の含有率は、図示の例では、１０〜５０％である。
【００１９】
この管継手１０を用いて縦樋１１及び案内管１２を互いに接続する際、継手本体１３の縦部１４の一端１４ａの内面及び横部１５の先端１５ａの外面にそれぞれ図示しない接着剤を塗布する。続いて、縦部１４の一端１４ａに縦樋１１の下端部１１ａを挿入し、横部１５の先端１５ａを案内管１２の端部１２ａに挿入する。これにより、継手本体１３と縦樋１１及び案内管１２とが前記接着剤により互いに接合され、縦樋１１及び案内管１２が管継手１０を介して互いに接続される。
【００２０】
縦樋１１内から継手本体１３内にその縦部１４の一端１４ａを経て流入した雨水は、縦部１４内を底壁１６に向けて流れ落ちる。このとき、底壁１６の上面すなわち傾斜面１７が、前記したように、継手本体１３の底壁１６の外方側に位置する下面１６ｃに関して、横部１５の底壁１５ｂの先端から縦部１４の側壁１４ｄの下部に向けて仰角を有することから、傾斜面１７は、継手本体１３の底部１３ａにおける雨水の流れ方向に対して俯角を有するので、底壁１６に流れ落ちた雨水は、水勢により流れることに加えてその自重により傾斜面１７上を流れ、横部１５の先端１５ａに案内される。傾斜面１７の案内作用により横部１５の先端１５ａに案内された雨水は、該先端を経て案内管１２に案内され、該案内管内を通って前記排水口に案内される。
【００２１】
本実施例によれば、前記したように、継手本体１３内に、継手本体１３の底壁１６の一端１６ａを通る水平面Ｓに関して横部１５の底壁１５ｂの先端から縦部１４の前記側壁１４ｄの下部に向けて仰角で傾斜する傾斜面１７が形成されていることから、例えば配管施工時の誤差により、継手本体１３の底壁１６の下面１６ｃが、図１に示すように、水平面Ｓに関して底部１３ａにおける雨水の流れ方向へ向けて仰角で傾斜した状態に管継手１０の配置姿勢が固定された場合でも、雨水の流路を規定する傾斜面１７の水平面Ｓに対する傾斜角を、継手本体１３内からの雨水の排出方向へ向けて俯角にすることができる。
【００２２】
これにより、継手本体１３の底壁１６の下面１６ｃが水平面Ｓに関して底部１３ａにおける雨水の流れ方向へ向けて仰角でたとえ傾斜したとしても、傾斜面１７の案内作用により、雨水や雨水に含まれる砂泥等を継手本体１３内から従来に比べて容易に排出することができるので、継手本体１３内に流入した雨水や雨水に含まれる砂泥等の一部が、継手本体１３内の縦部１４の前記側壁１４ｄ及び底壁１４ｃで規定される入隅部分に堆積することを確実に抑制することができる。
【００２３】
従って、雨水や砂泥等の一部が継手本体１３内に堆積することによる従来のような雨水の排水効率の低下を確実に防止することができる。
【００２４】
また、前記したように、継手本体１３の底壁１６に前記発泡剤が含有されていることから、前記発泡剤の発泡により底壁１６を形成するために必要となる樹脂材料の量を減らすことができる。これにより、管継手１０の製造コストの削減を図ることができる。また、継手本体１３の底壁１６に前記発泡剤が含有されていることから、継手本体１３内に縦部１４の一端１４ａを経て流入した雨水が継手本体１３の底壁１６に落ちたときに、雨水が底壁１６に当たることにより生じる音の一部を底壁１６で吸収することができる。
【００２５】
本実施例では、継手本体１３がほぼ直角に折り曲げられた管継手１０に本発明を適用した例を示したが、これに代えて、継手本体が９０°よりも鋭角又は鈍角で折り曲げられた管継手に本発明を適用することができる。
【００２６】
また、本実施例では、継手本体１３の縦部１４及び横部１５の横断面がそれぞれ矩形状をなした例を示したが、これに代えて、矩形状以外の例えば円形の横断面を有する継手本体を本発明に適用することができる。
【００２７】
更に、本実施例では、継手本体１３の横部１５の先端１５ａを案内管１２の端部１２ａに挿入する例を示したが、これに代えて、横部１５の先端１５ａに案内管１２の端部１２ａを挿入することができる。この場合、継手本体１３の底壁１６の一端１６ａから継手本体１３の内方へ間隔をおいた位置を傾斜の基点として傾斜面１７を形成することができる。
【００２８】
また、本実施例では、継手本体１３の底壁１６の下面１６ｃに対する傾斜面１７の傾斜角度が５°に設定された例を示したが、これに代えて、底壁１６の一端１６ａから底壁１６の他端１６ｂへ向けて底壁１６の一端１６ａを通る水平面Ｓに関して仰角で傾斜すれば、傾斜面１７の前記傾斜角度を５°以上又は５°以下に設定することができる。
【００２９】
更に、本実施例では、傾斜面１７が平面である例を示したが、これに代えて、傾斜面１を、底壁１６の一端１６ａから他端１６ｂに向けて底壁１６の下面１６ｃとの間隔が漸増する曲面で構成することができる。
【００３０】
また、本実施例では、傾斜面１７が、継手本体１３の底壁１６を、その板厚が底壁１６の一端１６ａから他端１６ｂに向けて漸増するように形成することにより、継手本体１３の底壁１６の上面により規定された例を示したが、これに代えて、例えば継手本体１３の底壁１６上に、板部材を底壁１６に対して傾斜した姿勢で配置することにより、板部材の上面で傾斜面１７を規定することができる。
【００３１】
更に、本実施例では、建物に設けられる縦樋１１と該縦樋内を流れる雨水を前記排水口に案内するための案内管１２とを互いに接続するための管継手１０に本発明を適用した例を示したが、これに代えて、縦樋１１及び案内管１２以外の管部材同士を接続するための管継手に本発明を適用することができる。
【図面の簡単な説明】
【００３２】
【図１】本発明に係る管継手を概略的に示す縦断面図である。
【符号の説明】
【００３３】
１０  管継手
１１，１２  管部材（縦樋、案内管）
１３  継手本体
１３ａ  底部
１４ａ  一端（縦部の一端）
１５ａ  他端（横部の先端）
１７  傾斜面
【図１】
0004733532.tif 000002